(57)【要約】  昇降口開口部内に梯子１２を取付けるためのフレーム１４を組合せた伸縮可能で折りたたみ可能な梯子１２を具備する屋根裏梯子アッセンブリー１０が開示される。フレーム１４は、使用中に、昇降口開口に固定する為で且つ梯子１２の最上部に回転可能に接続する取付けブラケット１４ａと、その格納位置で梯子１２の重みを支えるため及び梯子１２が不意に伸びることを防止するために、取付けブラケット１４ａに回転可能に接続する台架と、を具備する。
2007532809.tif 000002
【特許請求の範囲】
【請求項１】
昇降口開口を経由し、屋根裏へ通じる屋根裏梯子アッセンブリーにおいて、この屋根裏梯子アッセンブリーは、
梯子を折りたたむ為に、１つの、足をかける横木において取り外し可能な固定装置を有する伸縮可能で折りたたみ可能な梯子と、
昇降口開口内において前記梯子を取付ける為のフレームと、を具備しており、
前記フレームは、使用中、前記昇降口開口に固定される取付けブラケットと、前記梯子を前記フレームに回転可能に接続する為の接続装置と、梯子が折りたたまれた位置にある時に、前記フレームに対して、前記梯子を保持する為の保持装置と、を具備しており、
前記梯子は、前記フレームの前記保持装置と相互作用する、対応する保持装置を具備することを特徴とする屋根裏梯子アッセンブリー。
【請求項２】
前記梯子の最上部が、前記取付けブラケットに回転可能に接続しており、
台架が、その格納位置で前記梯子の重みをささえ、前記梯子が不意に伸びる事を防止する為に、前記取付けブラケットに回転可能に接続されることを特徴とする請求項１に記載の屋根裏梯子アッセンブリー。
【請求項３】
複数の梁が回転可能に前記フレームに接続しており、前記梯子の最上部が前記梁に回転可能に接続することを特徴とする請求項１に記載の屋根裏梯子アッセンブリー。
【請求項４】
台架は、その格納位置で前記梯子の重みをささえる為と、前記梯子が不意に伸びる事を防止する為に、前記取付けブラケットに回転可能に接続することを特徴とする請求項３に記載の屋根裏梯子アッセンブリー。
【請求項５】
前記台架は、前記梯子が前記梯子自身の重みの作用で伸びる事を防止する為、前記梯子の最下部に取り外し可能に係合するための手段を具備することを特徴とする請求項１から４のいずれか１項に記載の屋根裏梯子アッセンブリー。
【請求項６】
前記梯子の最下部に取り外し可能に係合する為の手段は、前記梯子の最下部から２番目の、足をかける横木から横方向に突き出る取っ手を収容する為の一対の留めがねを具備することを特徴とする請求項５に記載の屋根裏梯子アッセンブリー。
【請求項７】
前記梯子が前記梯子自身の重みの作用で伸びる事を防止する為、前記梯子は、前記フレームに取り外し可能に係合するための手段を具備することを特徴とする請求項３又は４に記載の屋根裏梯子アッセンブリー。
【請求項８】
前記フレームに取り外し可能に係合するための前記手段は、前記フレームの前記取付けブラケット間で伸びる垂直棒を収容する為の、前記梯子の最下部から２番目の、足をかける横木の留めがね部を具備することを特徴とする請求項７項に記載の屋根裏梯子アッセンブリー。
【請求項９】
前記梯子が前記梯子自身の重みの作用で伸びる事を防止する為、前記梯子は、前記台架に取り外し可能に係合する手段を具備することを特徴とする請求項１から５のいずれか１項に記載の屋根裏梯子アッセンブリー。
【請求項１０】
前記台架に取り外し可能に係合するための前記手段は、前記台架の水平棒と接続する垂直棒を収容する為の、前記梯子の最下部の、足をかける横木の留めがね部を具備することを特徴とする請求項９に記載の屋根裏梯子アッセンブリー。
【請求項１１】
格納位置にある時、前記梯子がそれ自身の重みの作用で伸びる事を防止する為に、前記梁は、例えば、バネか或いは留めがね等の保持装置を具備可能であることを特徴とする請求項３又は４に記載の屋根裏梯子アッセンブリー。
【請求項１２】
前記台架は、前記梯子の重みの作用に抗して前記台架を格納位置に付勢する少なくとも１つのバネにより、前記取付けブラケットに接続することを特徴とする請求項１から１１項のいずれか１項に記載の屋根裏梯子アッセンブリー。
【請求項１３】
オーバーセンタートグルバネとして作用して、前記梯子が展開される時に、前記台架を前記梯子から離すように付勢するような状態で、各バネは、前記取付けブラケットと前記台架に接続することを特徴とする請求項１２に記載の屋根裏梯子アッセンブリー。
【請求項１４】
前記梯子は、前記足をかける横木に組み込まれた固定ピンを有しており、前記固定ピンは、前記梯子が伸びた位置の時、前記梯子棒の部分を共に固定する為に、踏み越し段に形成された複数の穴内へ横方向で外側に移動するようにバネ付勢されており、前記固定ピンを有する前記足をかける横木がその下の横木に接近するので、前記梯子の次の高い位置の部分のための前記固定ピンは、引っ込むことを特徴とする請求項１項から１３項のいずれか１項に記載の屋根裏梯子アッセンブリー。
【発明の詳細な説明】
【技術分野】
【０００１】
本発明は、屋根裏梯子アッセンブリーに関する。
【背景技術】
【０００２】
昇降口の扉は、一般に、建物の屋根裏、或いは、屋上区画（又は、屋根）へ行ける様、天井に具備される。屋根裏梯子は、又、屋根の部分に収納される事で既に知られ、そして、昇降口の扉が開けられた後、引き降ろされて開かれると知られている。
【０００３】
従来の屋根裏梯子は通常、引伸ばし出来る形式である。これは、梯子が、異なる平面に配置された２つ（或いは時には３つ）の梯子部で形成されており、その梯子部は、お互いにすべらせることができ、更に積み重なって伸びた状態で固定出来ることを意味する。その梯子部は、積み重なった後でさえ、昇降口の扉より長い。それ故、梯子をかたづける為、先ず、屋根裏の中に上げられ、それから、その下部端部が昇降口を通り抜けることができるように、回転させねばならない。積み重なった梯子は通常、梯子が大体均衡がとれた状態で、ほぼその中央にある、軸の周りを回転させられる。その結果、昇降口の扉が開けられる場合に、梯子は、屋根裏で水平状態を保つ傾向があり、そして、それ（梯子）を展開する為に、ユーザーは、先ず、昇降口の下部端部を回転させ、それから、床にとどく様、梯子を引伸ばす為、種々の留め具（ｃａｔｃｈ）を手ではずさねばならない。
【０００４】
この様な梯子は、あまりコンパクト（小型）でない為、積み重さねられた状態でも、屋根部へ上げるには不利である。それ故、EP-B1-0 527 766に例として記述される如く、梯子は、踏み越し段が折りたためる部分で形成される伸縮可能で折りたたみ可能な梯子として形成される事が好ましい。この様な梯子は、梯子を折りたたむ時、引伸ばし出来る梯子よりずっとコンパクト（小型）で、昇降口開口に完全に適合する様、充分小さく形成出来る。
【０００５】
然し、若し、伸縮可能で折りたたみ可能な梯子の一番上の、足をかける横木が、昇降口開口の一方の側部で回転すれば、昇降口の扉が開くと直ぐに、梯子自体の重みの作用で落下し、そして、伸びる傾向がある。これは、危険と思わないユーザーを傷つける原因に成る。
【発明の開示】
【０００６】
本発明は、したがって、屋根裏部へ上げること無く、昇降口開口内に適合し、簡単に、又、安全に展開可能で、かたずけられる屋根裏梯子アッセンブリーを提供することを目的とする。
【０００７】
本発明によると、昇降口開口内に梯子を取付ける為のフレーム（構造）を組合せた、伸縮可能で折りたたみ可能な梯子と、使用中、昇降口開口に固定する為で且つ梯子の最上部に回転可能に接続する取付け金具（ブラケット）、を具備するフレームと、その格納位置で梯子の重みを支える為及び梯子が不意に伸びる事を防止する為に取付け金具に回転可能に接続する台架と、を具備する屋根裏梯子アッセンブリーが提供される。
【０００８】
梯子が梯子自身の重さの作用で伸びる事を防止する為、台架は、梯子の最下部に取り外し可能に係合するための手段を具備しても良い。後者の手段は、梯子の最下部から横方向に突き出る取っ手（ラグ）を収容する為の、一対の留めがね（フック）を具備してもよい。
【０００９】
台架は、梯子の重みの作用に抗して格納位置に台架を付勢する、少なくとも１つのバネにより、取付けブラケットに接続する事が好ましい。好適には、各バネは、オーバーセンタートグルバネとして作用するような状態で、取付けブラケット（金具）と台架に接続して、梯子が展開される時に、台架を梯子から離すように付勢する。
【００１０】
折りたたみ可能な梯子は、EP-B1-0 527 766 で開示された方法で構成される事が好ましい。特に、梯子は、梯子がのびた位置の時、踏み越し段の部分を共に固定するように踏み越し段に形成された複数の穴内へ横方向で外側に移動するようにバネ付勢されていて且つ足をかける横木に組み込まれた、固定ピンを有しても良く、固定ピンを有する、足をかける横木がその下の横木に接近するので、梯子の次の高い位置の部分のための固定ピンは、引っ込む。この方法で構成された場合に、梯子の最下部が台架からはずされると、梯子は、上から下向きに自然に開く。梯子がその格納位置へ持ち上げられる際に、梯子は、最下部から上向きに順々に折りたたまれる。
【００１１】
本発明は、添付図面を参照し、例として、以下で更に記述される。
【発明を実施するための最良の形態】
【００１２】
屋根裏梯子アッセンブリー１０の第１の実施の形態は、図１に示されており、該屋根裏梯子アッセンブリー１０は、伸縮可能で折りたたみ可能な梯子１２と、昇降口の開口において梯子を設置する為のフレーム（構造）１４とを具備する。フレーム１４は、取付けブラケット（金具）１４aと、図１に示された水平状態と図３と図４に示された垂直状態との間で取付けブラケット（金具）１４aに対して回転可能な台架（キャリッジ）１４bと、で形成される。２つのコイルバネ１６aと１６bは、台架１４bをそれの２つの端部位置にバネ付勢する為、以下に述べる通り、トグルバネの役目を果たす。
【００１３】
昇降口の開口は、３つの壁４０で形成された状態で、図１〜図１４に部分的に示されている。フレーム（構造）１４は、図示される実施の形態における３つの壁４０の１つに取付けられるが、更に、昇降口の扉にも取付けられることができる。
【００１４】
梯子１２は、登録商標名テレステップス（Ｔｅｌｅｓｔｅｐｓ）で現在も販売中の従来の伸縮式梯子と同じ方法で構成される。梯子のこの様な構造は、好適であるが、本発明には重要ではなく、それ故、本文では詳細に記述されない。梯子１２の内部の構造に関する更なる詳細に関し、EP-B1-0527766 を参照されたい。
【００１５】
梯子“テレステップス”（登録商標）は好適である。その理由は、底部から上向きに折りたたまれ、頂部から下向きに折りたたまない為である。特に、梯子には、足をかける横木（又は、段）に取付けられた固定ピンがあり、その固定ピンは、梯子がのびた状態の時、踏み越し段の部分を一緒に固定する為、踏み越し段に形成された穴へ横方向で外側へ移動するようにバネ付勢される。２つの、足をかける横木は、一体になるように接近するので、低い方の、足をかける横木は、高い方の、足をかける横木に形成された固定ピンを踏み越し段から引き込ませる為に、高い方の足をかける横木から下がる（又は、設けられる）２つのレバー２６（図１３において、最下部から２番目の、足をかける横木に示される）を押す。これにより、梯子の次に高い位置の部分の折りたたみを可能とし、そして、全ての部分が底部から上方向に向かって折りたたまれる迄、その手順を繰り返す。
【００１６】
梯子の、足をかける各横木は、台架１４bから突き出た留めがね（フック）２２に係合する横方向に突き出た２つの取っ手２４を有する。梯子が完全に折りたたまれた後、最下部から２番目の、足をかける横木３３の取っ手（ラグ）２４は、留めがね２２の上に持ち上げられ、そして、これは、梯子自身の重みの作用で梯子がのびる事を防止する。
【００１７】
梯子の最上部は、取付けブラケット（金具）１４aに対して、取付けブラケット１４aから突き出る２つの肢部２０を貫通する、ピン２８の周りを回転させられる。同様に、台架１４bは、取付けブラケット（金具）１４aから突き出る２つの短い耳部３０を貫通する、ピン１８の周りを回転させられる。
【００１８】
台架が図１に示された水平位置から図２に示された垂直状態へ、下方に回転するので、バネの先端と回転ピン１８が一直線に並ぶ、中心を超えた位置を、台架が通過するような状態で、バネ１６aと１６bは、ブラケット（金具）１４aと台架１４bに結合される。この位置で、バネの長さは、最大限にのび、そして、その位置にいずれかの方向から近付く場合に、台架をこの位置の方へ動かすように、力が台架に加えられねばならない。言い換えれば、バネ１６aと１６bは、台架１４bを、中心を超えた位置から離れるように付勢するトグル（倍力）作用を有する。従って、台架は、バネ１６aと１６bによって、水平位置と垂直位置の両方において安定して保持される。
【００１９】
使用中、取付けブラケット（金具）１４aを複数のボルト又はネジで固定する事に依って、梯子アッセンブリーは、昇降口開口を囲み且つ昇降口開口を区画する天井桁に固定される。昇降口の扉６０（図１２〜１４にのみ示される）が、蝶番（ヒンジ）で回すか或いは外す事に依って、開けられると、屋根裏梯子アッセンブリーが図１に示された形態で昇降口開口に現われる。この状態で、梯子１２と台架１４bを合わせた重みのモーメントより若干大きいモーメントがバネにより台架１４bに付加される。それ故、昇降口の扉が開かれた後、屋根裏梯子アッセンブリーは、昇降口開口にとどまる。
【００２０】
梯子を展開する為、台架１４bは、帯ひも３２（図３及び４に示された）で引き下げる事に依り、バネ１６aと１６bの作用に逆らって下方へ回転させられる。この操作は、台架１４bに依って生じた梃の作用が働き、それ程の努力を必要としない。台架は、中心を超えた位置を通り越し図３と図４に示された位置へ回転させられる。この事から、バネ１６aと１６bの作用の方向は、ピン１８の反対側へ移動した事が判る。従って、台架１４bは、梯子１２の重みによる補助が無くても垂直状態で安定する。
【００２１】
梯子が格納される場合に、梯子の上部の２つの足をかける横木の間に隙間が残る。この隙間で、ユーザーは、梯子全体を持ち上げ、それによって取っ手２４を留めがね２２からはずす。ひとたび梯子１２の重みが留めがね２２によって、もはや支えられなくなると、梯子は、図４で判る通り、上から下方へ自然に伸びる。これにより、ユーザーは、梯子１２を台架１４bから引き離して、梯子が地面に届き、安全で都合の良い角度に傾くまで、梯子１２を伸ばすことができる。
【００２２】
梯子を格納するには、基本的に、上述した手順と逆の手順になる。先ず、梯子の最下部から２番目の足をかける横木３３の固定ピンをはずすのにレバー２６（部分的に図１と図４に示される）を使用後、梯子の最下部（足をかける横木３３と３５を具備する）を起こす。足をかける横木３３は、次の高い位置の、足をかける横木にとどくので、それにより、次の高い位置の梯子部分の固定ピンが自動的に外れて、その梯子部分を折りたたむ。その手順は、梯子全体が折りたたまれる迄、繰り返される。
【００２３】
梯子１２の全ての部分がお互いに対して折りたたまれた状態で、最下部から２番目の、足をかける横木３３の取っ手２４は、持ち上げられて留めがね２２に載せられ、それにより梯子の重みが台架１４bによって全てささえられる。帯ひも３２（図３と図４にだけ示される）を保持しながら、台架はその水平状態に向かって回転可能であり、そしてそれ（台架）が、ひとたび中心を超えた位置を通過すると、梯子を、図１の梯子の格納状態に静かに戻す事が出来るように、梯子を拘束するように帯ひも３２が使われる。それから、昇降口の扉は、戻されるか或いは、閉じられる。
【００２４】
図５〜図７に、屋根裏梯子アッセンブリー１０の第２の実施の形態が示されており、梯子１２を格納位置に保持する姿勢が、最下部の、足をかける横木３５に具備される留めがね部１２２によって形成される。留めがね部は、格納位置（図５に示される）で台架１４bの垂直棒５０を収容し、その垂直棒５０は、台架１４bの水平棒５１と５２の間において伸張する。保持する姿勢は別として、第２の実施の形態による屋根裏梯子アッセンブリーは、第１の実施の形態による屋根裏梯子アッセンブリーと同じ方法で作動する。
【００２５】
図８〜図１２に示される屋根裏梯子アッセンブリー１０の第３の実施の形態は、梯子を昇降口開口には収納出来ないが、然し、昇降口開口の上の屋根裏に収納しなければならない場合において、昇降口開口に使用する事を意図している。図８〜図１２に示された屋根裏梯子アッセンブリーは、梯子１２の格納状態保持に関し、図５〜図７に示された屋根裏梯子アッセンブリーと同様の姿勢である。即ち、留めがね部１２２は、台架１４bの垂直棒５０を収容するように、最下部の、足をかける横木３５に具備される。
【００２６】
図８〜図１２に示された屋根裏梯子アッセンブリーは、更に、複数のL形梁７０で形成され、その複数のL形梁は、第１の端部７１で回転可能にブラケット（金具）１４aに接続され、梯子１２を第２の端部７２において回転可能に接続させる。梁７０は、梯子１２の上部が昇降口開口を越えて伸びる事を可能とするので、たとえ梯子１２が昇降口開口より長い場合でも、梯子１２は、格納可能である。これは、図８と図９に示されている。
【００２７】
梯子を展開する為、帯ひもを引き下げる事によって、台架１４bは、バネ１６aと１６bの作用に抗して下方向へ回転させられる。この操作は、台架１４bによって生じた梃の作用により、それ程の努力を必要としない。梁７０と台架１４bは、中心を超えた位置（図１０参照）を通過して、図１１に示された位置へ回転させられる。その事から、バネ１６aと１６bの作用の方向は、ピン１８の反対側へ移動した事が判る。従って、台架１４bは、今や、梯子１２の重みの補助無しで、その垂直状態で安定する。
【００２８】
この位置から、ユーザーは、梯子全体を持ち上げ、そして、それによって、留めがね１２２を棒５０からはずし、梁７０が更に回転する。ひとたび梯子１２の重みが棒５０によってもはや支えられなくなると、図４に見られると同様に、梯子は、上から下方へ自然に伸びる。これにより、ユーザーは、梯子１２を台架１４bから引き離し、梯子が地面に届き、安全で都合の良い角度に傾くまで、のばす事が出来る。梁７０は、一般的には、図１４に示された位置へ回転する。
【００２９】
梯子を格納するには、基本的に、上述した手順と逆の手順になる。先ず、固定ピンをはずす為に、梯子１２の最下部から２番目の、足をかける横木３３上のレバーを使用後、梯子は上昇させられる。足をかける横木３３は、次の高い位置の、足をかける横木にとどくので、その梯子部を折りたたむ為、次の高い位置の梯子部の固定ピンを自動的にはずす。その手順は、梯子全てが折りたたまれる迄繰り返される。
【００３０】
梯子１２の全ての部分が、お互いに対して折りたたまれた状態で、最下部の、足をかける横木３５の留めがね１２２は、棒５０に設置可能である。従って、梯子の重みは、台架１４bによって全てささえられる。帯ひもを保持しながら、梁と台架は、梯子の水平位置に向かって回転出来、そして、中心を超えた位置上を通過すると、梯子を図８と図９の梯子の格納状態へ静かに戻すことが出来るように、梯子を拘束する為に帯ひもが使われる。それから、昇降口の扉６０が、戻されるか或いは閉じられる。
【００３１】
図１３と図１４に示される、屋根裏梯子アッセンブリー１０の第４の実施の形態は、梯子が昇降口開口に収容出来ないが、然し、昇降口開口の上の屋根裏に収納する必要がある場合において、昇降口開口に使用するものである。図１３と図１４に示された屋根裏梯子アッセンブリーは、図８〜図１２に示された屋根裏梯子アッセンブリーの第３の実施の形態と類似するが、然し、台架とバネは具備されない。格納位置で梯子１２を保持する姿勢は、第２と第３の実施の形態のそれと類似するが、然し、留めがね１２２は、最下部から２番目の、足をかける横木３３の上に具備されて、垂直棒９０を収容する。垂直棒９０は、フレーム（構造）１４の支柱（ブレース）１１４aに取り付けられる。梁７０は、棒９０の上に回転可能に取り付けられる。
【００３２】
図１３に示された通りの格納位置では、梯子１２の上部分の重量、即ち、昇降口開口を越え伸びる梯子１２の部分の重量は、梯子が格納位置に保持される事を保証する。昇降口の扉６０が開かれる時、梯子１２は、格納位置にとどまる。梯子を展開する為、ユーザーは、最下部の足をかける横木に接続された帯ひもを引き、そして、梁７０と梯子１２が、中心を超えた位置を通過して水平状態へ回転させられる。
【００３３】
この位置から、ユーザーは、梯子全体を持ち上げ、そして、それによって、留めがね１２２を棒５０からはずし、梁７０を更に回転させる。ひとたび梯子１２の重みが棒５０によって、もはや支えられなくなると、図４で見られる事と同様に、梯子は、上から下方へ自然に伸びる。これにより、ユーザーは、梯子１２を引き、梯子が地面に届き、安全で都合の良い角度に傾けられるまで梯子をのばす事が出来る。梁７０は、一般的には、図１４に示された状態へ回転させられる。
【００３４】
梯子を格納するには、基本的に、上述した手順と逆の手順になる。先ず、固定ピンをはずす為に、梯子１２の最下部から２番目の、足をかける横木３３のレバーを使用後、梯子が折りたたまれる。足をかける横木３３は、次の高い位置の、足をかける横木にとどくので、その梯子部分を折りたたむ為、次の高い位置の部分の固定ピンを自動的にはずす。その手順は、梯子全てが折りたたまれる迄繰り返される。
【００３５】
梯子１２の全ての部分がお互いに対して折りたたまれた状態で、複数の梁は、その水平状態に向かって回転させられ、ひとたび中心を超えた位置を通過すると、最下部の足をかける横木の留めがね１２２は、棒５０に設置できる。従って、梯子の重みはフレーム１４によって全てささえられる。帯ひもは、図１３の梯子の格納位置へ静かに戻すことができるように、梯子を拘束するように使われる。それから、昇降口の扉６０を、戻すか或いは閉じることができる。
【００３６】
梯子１２のより低い部分もまた、昇降口の扉に取り外し可能に接続できる。従って、昇降口の扉が開くと、梯子１２は回転する。
【００３７】
当業者は、添付された請求の範囲に述べる通り、本発明の範囲から逸脱する事無く、説明された屋根裏梯子アッセンブリーに様々な修正が実施されても良い事を認識する。例えば、台架１４bは、昇降口の扉に支持されるか或いは扉に接続してもよい。更に、台架を上昇した位置に保持する為、バネに代えて留め具（ｃａｔｃｈ）を使ってもよい。
【図面の簡単な説明】
【００３８】
【図１】図１は、格納位置にある本発明の屋根裏梯子アッセンブリーの第１の実施の形態の立体図である。
【図２】図２は、図１の屋根裏梯子アッセンブリーの側面図である。
【図３】図３は、垂直位置に、おろされた台架を有する、屋根裏梯子アッセンブリーの側面図である。
【図４】図４は、梯子が展開された位置にある状態の図３と同様の図である。
【図５】図５は、部分的におろされた位置にある本発明の屋根裏梯子アッセンブリーの第２の実施の形態の立体図である。
【図６】図６は、梯子が展開された位置にある状態の図５と同様の図である。
【図７】図７は、図６の屋根裏梯子アッセンブリーの側面図である。
【図８】図８は、格納位置にある、本発明の屋根裏梯子アッセンブリーの第３の実施の形態の立体図である。
【図９】図９は、図８の屋根裏梯子アッセンブリーの側面図である。
【図１０】図１０は、部分的におろされた位置にある、図８の屋根裏梯子アッセンブリーの立体図である。
【図１１】図１１は、垂直位置におろされた台架を有する図８の屋根裏梯子アッセンブリーの側面図である。
【図１２】図１２は、梯子が展開された位置にある状態の図１１と同様の図である。
【図１３】図１３は、格納位置にある、本発明の屋根裏梯子アッセンブリーの第４の実施の形態の立体図である。
【図１４】図１４は、梯子が展開された位置にある状態の図１３の屋根裏梯子アッセンブリーの側面である。
【図１】
2007532809.tif 000003
【図２】
2007532809.tif 000004
【図３】
2007532809.tif 000005
【図４】
2007532809.tif 000006
【図５】
2007532809.tif 000007
【図６】
2007532809.tif 000008
【図７】
2007532809.tif 000009
【図８】
2007532809.tif 000010
【図９】
2007532809.tif 000011
【図１０】
2007532809.tif 000012
【図１１】
2007532809.tif 000013
【図１２】
2007532809.tif 000014
【図１３】
2007532809.tif 000015
【図１４】
2007532809.tif 000016
【国際調査報告】
2007532809.tif 000017
2007532809.tif 000018